(57)【特許請求の範囲】
【請求項１】
一面側に液体を吸収し得る吸収体を有すると共に、この吸収体の背面側に不透液性のバックシートを有したパッド本体と、
パッド本体の他面側に配置され且つ表面に粘着層を有するずれ止めテ−プと、
ずれ止めテ−プを剥離可能に覆い且つ環状に形成可能とされた剥離紙とを備え、
剥離紙がミシン目を相互に平行に２本以上有し、これらのミシン目の部分を引き裂くことで剥離紙を環状に形成可能とした、
ことを特徴とする吸収性物品。
【請求項２】
剥離紙の両端部分が繋がった形で二重になっていることで、剥離紙を環状に形成可能とした請求項１記載の吸収性物品。
【発明の詳細な説明】
【技術分野】
【０００１】
本発明は、廃棄時において衛生的に処理可能とする機能を低コストに備えた吸収性物品に関し、例えばパンツ等の下着に貼付けて使用されるパッドタイプの紙おむつとして好適なものである。
【背景技術】
【０００２】
紙おむつには、主にテープタイプ、パンツタイプ及びパッドタイプの３種類存在している。この内のテープタイプやパンツタイプの紙おむつには、使用後の紙おむつをコンパクトにまとめて廃棄するためのファスニングテープ及び後処理テープによる後処理機能が付いているが、下着に対して取り付けて用いられるパッドタイプの紙おむつには、後処理機能が一般的に付いていない。
【０００３】
そして、このパッドタイプの紙おむつ等には、従来よりこのパッドタイプのものが取り付けられる下着に対してのずれを防止するずれ止めテープが備わっているものの、このずれ止めテープは、紙おむつ自身に固定されていて移動できず、後処理用として用いることができなかった。
【０００４】
他方、丸めた紙おむつ自身を裏面シートに備えられたポケットにくるむことができるパッドタイプの紙おむつが知られている（特許文献１参照）。具体的には、裏面シートに手を挿入できるポケットがあり、清潔かつ素早くこのポケットに手を入れて外包着衣の内側の所定位置に尿とりパッドを配置させることができるだけでなく、廃棄の際には、パッド本体を丸め、このポケットを裏返すようにしてパッド本体を収納して廃棄できるというものであった。
【先行技術文献】
【特許文献】
【０００５】
【特許文献１】特開2008-284288号公報
【発明の概要】
【発明が解決しようとする課題】
【０００６】
以上より、パッドタイプの紙おむつには、後処理機能がないため、廃棄時に紙おむつが開いたままの状態になり易く、不衛生である。他方、パッド本体の背面側全長に亘ってずれ止めテ−プがついている場合には、ずれ止めテ−プの接着力を後処理機能として利用してパッド本体をくるむこともできるが、パッド本体に元の形状に戻ろうとする力が働くため、時間の経過とともにパッド本体が開いて内面側が露出する可能性が高く、不衛生となる欠点は解消できなかった。
【０００７】
この一方、特許文献１のような構造であっても、ポケットはパッドタイプの紙おむつに特有の部材ではない為、ポケット用のシートをさらに備える必要があり、製造コストが増大する虞を有していた。
そこで、本発明の主たる課題は、廃棄時において衛生的に処理可能とする機能を低コストに備えた吸収性物品を得ることにある。
【課題を解決するための手段】
【０００８】
上記課題を解決した本発明は次記のとおりである。
＜請求項１記載の発明＞
一面側に液体を吸収し得る吸収体を有すると共に、この吸収体の背面側に不透液性のバックシートを有したパッド本体と、
パッド本体の他面側に配置され且つ表面に粘着層を有するずれ止めテ−プと、
ずれ止めテ−プを剥離可能に覆い且つ環状に形成可能とされた剥離紙とを備え、
剥離紙がミシン目を相互に平行に２本以上有し、これらのミシン目の部分を引き裂くことで剥離紙を環状に形成可能とした、
ことを特徴とする吸収性物品。
【０００９】
（作用効果）
本請求項の吸収性物品によれば、パッド本体の他面側にずれ止めテ−プが配置されているが、この吸収性物品の使用時には、このずれ止めテ−プを剥離可能に覆った剥離紙を剥がして、このずれ止めテ−プの表面に存在する粘着層により下着に吸収性物品を接着することで、吸収性物品の使用時においては、下着に対してパッド本体がずれないようになる。
【００１０】
また、この吸収性物品の使用後の廃棄時には、環状に形成可能とされた剥離紙を環状である筒状にし、吸収体を内側にしつつパッド本体を丸めてから、この環状の剥離紙内にパッド本体を通すことで、吸収体を露出させないための後処理機能が奏されるようになる。つまり、吸収性物品の廃棄時には、このずれ止めテ−プによって使用後のパッド本体をしっかりくるめたままコンパクトに廃棄することで、使用後のパッド本体を衛生的に処理可能となる。
【００１１】
以上より、本請求項の吸収性物品によれば、ずれ止めテ−プを備えているのに伴い、このずれ止めテ−プを剥離可能に覆っている剥離紙を環状に形成可能とした。このことで、吸収性物品の廃棄時には、剥離紙内に使用後のパッド本体を挿入してしっかりくるめることができるようになった。これに伴って、ポケット等の新たな部材を設けることなく低コストにパッド本体を衛生的に処理可能となった。
すなわち、本請求項によれば、吸収性物品である例えばパッドタイプの紙おむつに特有のずれ止めテ−プが備えられるのに伴い、このずれ止めテ−プを剥離可能に覆う剥離紙を後処理機能として利用可能になった。
また、本請求項の吸収性物品によれば、剥離紙がミシン目を相互に平行に例えば２本有するのに伴い、これら２本のミシン目の部分をそれぞれ引き裂くことで、剥離紙の中程部分がそれぞれ帯状の３つに分かれ、例えば両端の帯状部分とこれらの間の帯状部分との間で剥離紙を環状に形成できるようになり、これに伴いこれらの間に使用後のパッド本体を挿入できることになる。
【００１２】
【００１３】
【００１４】
【００１５】
【００１６】
＜請求項２記載の発明＞
剥離紙の両端部分が繋がった形で二重になっていることで、剥離紙を環状に形成可能とした請求項１記載の吸収性物品。
【００１７】
（作用効果）
本請求項の吸収性物品によれば、剥離紙の両端部分が繋がった形で二重になっているのに伴い、この剥離紙の中央部分を引きはがすことで、剥離紙を環状に形成可能となり、これらの間に使用後のパッド本体を挿入できるようになる。このことから、単に両端部分を繋げた形で二重に剥離紙を形成するだけで、請求項２同様に、吸収性物品の廃棄時においてパッド本体を衛生的に処理可能となるので、より一層の低コスト化が図れるようになった。
【発明の効果】
【００１８】
以上のとおり本発明によれば、廃棄時において衛生的に処理可能とする機能を低コストに備えた吸収性物品が得られる。
【図面の簡単な説明】
【００１９】
【図１】本発明の第１の実施の形態に係る吸収性物品の展開状態を示す一部破断した平面図である。
【図２】本発明の第１の実施の形態に係る吸収性物品の要部拡大断面図である。
【図３】本発明の第１の実施の形態に係る吸収性物品をパンツに貼付けた状態の正面図である。
【図４】第１の実施の形態においてミシン目を破断した状態の剥離紙の斜視図である。
【図５】本発明の第１の実施の形態に適用されるパッド本体を剥離紙に通した状態を示す斜視図である。
【図６】本発明の第１の実施の形態に係る吸収性物品の変形例の展開状態を示す一部破断した平面図である。
【図７】本発明の第２の実施の形態に係る吸収性物品の展開状態を示す一部破断した平面図である。
【図８】本発明の第２の実施の形態に係る吸収性物品の要部拡大断面図である。
【図９】本発明の第２の実施の形態に適用されるパッド本体を剥離紙に通した状態を示す斜視図である。
【発明を実施するための形態】
【００２０】
以下、本発明の第１の実施の形態に係る吸収性物品を図１から図６に示しつつ、説明する。尚、本実施の形態ではパッドタイプであってフラットタイプとされる紙おむつを例として、吸収性物品を説明するが、他のタイプの吸収性物品にも適用できるものである。また、以下の説明において「股間部」とは、使用時に身体の股間と対応させる部分を意味し、殆ど多くの製品では前後方向中央部及びその前後近傍の部分である。
【００２１】
図１に示すように、本実施の形態に係る吸収性物品１０の本体部分であるパッド本体１２としては、一面側に長方形状に形成されて液体を吸収し得る吸収体１４を備えると共に、この吸収体１４の背面側にポリエチレン等により長方形状に形成されて不透液性とされるバックシート１６を備えている。さらに、この吸収体１４の表面側は、長方形状の不織布等により形成されて透液性とされるトップシート１８により覆われており、また、バックシート１６の背面側には、長方形状の不織布によるカバーシート２０が備えられている。
【００２２】
ここで、吸収体１４としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体１４はクレープ紙（図示せず）により包むことができる。吸収体１４における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２３】
また、バックシート１６としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２４】
他方、トップシート１８及びカバーシート２０を構成する不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２５】
つまり、本実施の形態に係る吸収性物品１０は、これらトップシート１８とバックシート１６との間に吸収体１４が配置されているだけでなく、バックシート１６の背面側にカバーシート２０が配置された４層構造とされ、これらはそれぞれ長方形に形成されている。但し、トップシート１８、バックシート１６及びカバーシート２０は相互に同一形状とされ、吸収体１４のみが若干小さく形成されていて、相互に中心を合わせて積層されることで、吸収体１４の外周側のトップシート１８、バックシート１６及びカバーシート２０等の部分が相互に熱融着等により接合されていて、これに伴って、吸収性物品１０の外周寄りにフラップ部２２が形成されている。
【００２６】
他方、パッド本体１２の他面側の一端側寄りであってバックシート１６の背面側となるカバーシート２０上の位置に、図１に示すような長方形状に形成された一つのずれ止めテープ２４が接着等によって貼付けられつつ、配置されている。そして、このずれ止めテープ２４の表面側には、布製のパンツ３０等の下着に取り付けるための粘着剤が一面に亘って塗布されている粘着層２４Ａが備えられている。
【００２７】
この吸収性物品１０の使用前には、図１及び図２に示すように、この粘着層２４Ａに対して剥離可能な剥離紙２６が、このずれ止めテープ２４の粘着層２４Ａが存在する表面側を覆っている。但し、この剥離紙２６には、その両端部分を長さ３〜５センチメートル程度残しつつ、長さがそれぞれ８〜１５センチメートルとされた２本のミシン目２８が相互に平行に存在している。この為、これら２本のミシン目２８の部分を引き裂くことで、剥離紙２６が環状に形成可能になる。つまり、これら２本のミシン目２８の存在により、剥離紙２６の中程部分がそれぞれ帯状の３つの部分に分かれ、例えば両端の帯状部分２６Ａ、２６Ｃとこれらの間の帯状部分２６Ｂとの間で、剥離紙２６を環状に形成可能になる。
【００２８】
尚、この剥離紙２６の幅寸法を４〜１０センチメートルとしたときには、２本のミシン目２８の間隔は２〜５センチメートルとすることが考えられ、さらに、剥離紙２６の不用意な破れ防止のために、この剥離紙２６の目付を５０ｇ／ｍ2以上とすることも考えられる。
【００２９】
次に、本実施の形態に係る吸収性物品１０の作用を以下に説明する。
本実施形態の吸収性物品１０によれば、パッド本体１２の他面側にずれ止めテープ２４が配置されているが、この吸収性物品１０の使用時には、このずれ止めテープ２４を剥離可能に覆った剥離紙２６を剥がして、このずれ止めテープ２４の表面に存在する粘着層２４Ａにより下着にこの吸収性物品１０を接着することで、吸収性物品１０の使用時においては下着に対してパッド本体１２がずれないようになる。つまり、このずれ止めテープ２４が粘着層２４Ａによってパンツ３０に接着されることになる。
【００３０】
ここで、本実施の形態に係る吸収性物品１０を下着であるパンツ３０に装着する際の動作としては、この吸収性物品１０を布製のパンツ３０の股間部とされる底部に下降させて、取り付ける。この際、ずれ止めテープ２４から単に剥離紙２６を剥がすだけで、図３に示すようにこの吸収性物品１０をパンツ３０に取り付けることができ、これによって吸収性物品１０が使用可能となる。
【００３１】
また、この吸収性物品１０の使用後の廃棄時には、ずれ止めテープ２４から予め剥がされている剥離紙２６が、相互に平行に２本のミシン目２８を有していることから、これらのミシン目２８の部分をそれぞれ引き裂くことで、剥離紙２６を図４に示すように環状に形成し、吸収体１４を内側にしつつパッド本体１２を丸めてから、この環状の剥離紙２６内にパッド本体１２を図５に示すように通すことで、吸収体１４を露出させないための後処理機能が奏されるようになる。
つまり、吸収性物品１０の廃棄時には、このずれ止めテープ２４によって使用後のパッド本体１２をしっかりくるめたままコンパクトに廃棄することで、使用後のパッド本体１２を衛生的に処理可能となる。
【００３２】
以上より、本実施の形態の吸収性物品１０によれば、使用中に下着に対してずれ難くするずれ止めテープ２４を備えているのに伴い、このずれ止めテープ２４を剥離可能に覆っている剥離紙２６を環状に形成可能とした。このことで、吸収性物品１０の廃棄時には、剥離紙２６内に使用後のパッド本体１２を挿入してしっかりくるめることができるようになった。これに伴って、ポケット等の新たな部材を設けることなく低コストにパッド本体１２を衛生的に処理可能ともなった。
【００３３】
すなわち、本実施の形態によれば、吸収性物品１０である例えばパッドタイプの紙おむつに特有のずれ止めテ−プ２４が備えられるのに伴い、このずれ止めテ−プ２４を剥離可能に覆う剥離紙２６が後処理機能として利用可能になった。
【００３４】
他方、本実施の形態の吸収性物品１０によれば、剥離紙２６がミシン目２８を相互に平行に２本有している。従って、これら２本のミシン目２８の部分をそれぞれ引き裂くことで、剥離紙２６の中程部分がそれぞれ帯状の３つに分かれ、図１及び図２に示す両端の帯状部分２６Ａ、２６Ｃとこれらの間の帯状部分２６Ｂとの間で、剥離紙２６を環状に形成可能になり、これに伴いこれらの間に使用後のパッド本体１２を挿入できることになる。
このことから、剥離紙２６にミシン目２８を相互に平行に単に２本設けるだけで、吸収性物品１０の廃棄時においてパッド本体１２を衛生的に処理可能となるので、より一層の低コスト化が図れるようになった。
【００３５】
尚、剥離紙２６に形成されるミシン目２８は、上記実施の形態のように、それぞれ直線に形成することもできるが、パッド本体１２を挿入し易くなるように、図６に示すようにミシン目２８の両端部をカーブさせて形成しても良い。
【００３６】
次に、本発明の第２の実施の形態に係る吸収性物品を図７から図９に示しつつ、説明する。尚、第１の実施の形態で説明した部材と同一の部材には同一の符号を付して重複した説明を省略する。
本実施の形態では、第１の実施の形態と同様な構造のパッド本体１２を有しているものの、図７及び図８に示すように、剥離紙２６の替りに、両端部分が折り曲げられていることで、両端部分が繋がった形の剥離紙３６を採用している。このことから、剥離紙３６が二重構造になるのに伴って剥離紙３６を環状に形成可能としている。
【００３７】
本実施の形態の吸収性物品１０によれば、剥離紙３６が両端部分を繋げた形で、第１層３６Ａと第２層３６Ｂとの二重構造になっているのに伴い、この剥離紙３６の中央部分を引きはがすことで、剥離紙３６を環状に形成可能となり、これら第１層３６Ａと第２層３６Ｂとの間に図９に示すように使用後のパッド本体１２を挿入できるようになる。
【００３８】
このことから、単に両端部分を繋げた形で、第１層３６Ａと第２層３６Ｂとからなる二重構造に剥離紙３６を形成するだけで、第１の実施の形態と同様に、吸収性物品１０の廃棄時においてパッド本体１２を衛生的に処理可能となるので、より一層の低コスト化が図れるようになった。
【００３９】
尚、上記第１の実施の形態においては、ずれ止めテープの剥離紙に２本のミシン目を形成したが、ミシン目は１本或いは３本以上としても良い。また、剥離紙の強度が維持できるのであれば、ミシン目でなく単なる切り込みであっても良い。
【産業上の利用可能性】
【００４０】
本発明は、パンツ等の下着に貼付けて使用されるパッドタイプの紙おむつとして利用可能である。
【符号の説明】
【００４１】
１０…吸収性物品
１２…パッド本体
１４…吸収体
１６…バックシート
１８…トップシート
２０…カバーシート
２４…ずれ止めテープ
２６…剥離紙
２８…ミシン目
３６…剥離紙
【図１】
0005564298.tif 000002
【図２】
0005564298.tif 000003
【図３】
0005564298.tif 000004
【図４】
0005564298.tif 000005
【図５】
0005564298.tif 000006
【図６】
0005564298.tif 000007
【図７】
0005564298.tif 000008
【図８】
0005564298.tif 000009
【図９】
0005564298.tif 000010